(57)【要約】【課題】掃除中に空気中に浮遊する塵埃が部屋の上方、特に使用者の鼻口周辺の高さまで塵埃が漂うのを防ぐ制御を実現する。【解決手段】電動送風機の吸引風により床面の塵埃を吸引する吸込具８と、吸込具８の天面に設けられ、前記電動送風機の吸引風により空気中の浮遊塵埃を吸引する電動ルーバー（空気取り入れ口）１２と、床面の帯電量を検知する帯電検知手段５ａとを備え、電動ルーバー１２は、略筒状で一定の長さを有し、吸込具８の天面側の一端を軸に回動自在に設けられ、前記回動に伴って電動ルーバー１２の開口の向きも可変されて、帯電検知手段５ａが検知する帯電量に応じて、電動ルーバー１２の開口の向きを変化させるもので、掃除中に舞い上げられた浮遊塵埃を効率よく吸引でき、使用者の鼻口周辺の高さまで塵埃が漂うのを防ぐことができるようになる。【選択図】図２
2010046372.tif 000002
【特許請求の範囲】
【請求項１】
吸引風を発生させる電動送風機と、前記電動送風機の吸引経路に連通し、その吸引風により床面の塵埃を吸引する床面吸込み口を備えた吸込具と、前記吸込具の天面に設けられ、前記電動送風機の吸引風により空気中の浮遊塵埃を吸引する空気取り入れ口と、床面の帯電量を検知する帯電検知手段とを備え、前記空気取り入れ口は、略筒状で一定の長さを有し、前記吸込具の天面側の一端を軸に回動自在に設けられ、前記回動に伴って空気取り入れ口の開口の向きも可変自在に設けられて、前記帯電検知手段が検知する床面の帯電量に応じて、前記空気取り入れ口の開口の向きを変化させる構成とした電気掃除機。
【請求項２】
電動送風機の吸引力を変化させる制御手段を備え、帯電検知手段が検知する床面の帯電量と、前記制御手段が設定する吸引力の大きさとに応じて、空気取り入れ口の開口の向きを変化させる構成とした請求項１記載の電気掃除機。
【請求項３】
空気取り入れ口の開口の向きは、帯電検知手段が検知する帯電量が小さいほど、あるいは制御手段が設定する吸引力の大きさが大きいほど、床面に対して鉛直方向により近い向きに変化させ、より高い位置の浮遊塵埃を吸引する構成とした請求項１または２記載の電気掃除機。
【請求項４】
床面の帯電量と制御手段が設定する吸引力とをパラメーターとして決定される、空気取り入れ口の開口の向きに関する設定角度のテーブル表を予め準備し、前記設定角度のテーブル表に基づいて、前記空気取り入れ口の開口の向きを変化させる構成とした請求項３記載の電気掃除機。
【発明の詳細な説明】
【技術分野】
【０００１】
本発明は電気掃除機に関するものであり、特に空気中の浮遊塵埃を吸引するための制御に関するものである。
【背景技術】
【０００２】
従来のこの種の電気掃除機として、吸込具上面に多数の微小孔を設け、空気中の浮遊塵埃を吸引する構成にしたもの（例えば、特許文献１参照）がある。
【特許文献１】特許第２８１７００４号公報
【発明の開示】
【発明が解決しようとする課題】
【０００３】
しかしながら、上記特許文献１に記載された方法によれば、吸込具上面の微小孔が常に同じ開口面積および開口向きで開いたままであるため、特定領域の浮遊塵埃の吸引には適しているが、床面の帯電量よって塵埃が舞い上がる程度が異なり、その舞い上がり方が変わることによる浮遊塵埃が達する高さの変化には対応できていなかった。
【０００４】
本発明は前記従来の課題を解決するもので、床面の帯電量を検知することで、掃除中に舞い上がる浮遊塵埃の舞い上がり高さを推定し、精度良く空気中の浮遊塵埃を除去することができる電気掃除機を提案するものである。
【課題を解決するための手段】
【０００５】
前記従来の課題を解決するために本発明の電気掃除機は、吸引風を発生させる電動送風機と、前記電動送風機の吸引経路に連通し、その吸引風により床面の塵埃を吸引する床面吸込み口を備えた吸込具と、前記吸込具の天面に設けられ、前記電動送風機の吸引風により空気中の浮遊塵埃を吸引する空気取り入れ口と、床面の帯電量を検知する帯電検知手段とを備え、前記空気取り入れ口は、略筒状で一定の長さを有し、前記吸込具の天面側の一端を軸に回動自在に設けられ、前記回動に伴って空気取り入れ口の開口の向きも可変自在に設けられて、前記帯電検知手段が検知する床面の帯電量に応じて、前記空気取り入れ口の開口の向きを変化させるようにした。
【０００６】
一般的に床面が帯電しているほど、そのクーロン力によって塵埃は床面に引き付けられ、空気中に舞い上がりにくくかつ浮遊しにくくなる。本発明では、床面の帯電量によって、塵埃が空気中に浮遊するおよその高さを推定し、その浮遊高さに、最適な空気取り入れ口の向きを設定することで、掃除中に舞い上げられた浮遊塵埃を効率よく吸引でき、部屋の上方、特に使用者の鼻口周辺の高さまで塵埃が漂うのを防ぐことができ、使用者がほこりが少ない空間で快適に掃除を行うことができる。
【発明の効果】
【０００７】
本発明の電気掃除機は、掃除中に舞い上げられる花粉やハウスダストなどの浮遊塵埃を効率よく吸引でき、使用者がほこりが少ない空間で快適に掃除を行うことができる電気掃除機を提供するものである。
【発明を実施するための最良の形態】
【０００８】
第１の発明は、吸引風を発生させる電動送風機と、前記電動送風機の吸引経路に連通し、その吸引風により床面の塵埃を吸引する床面吸込み口を備えた吸込具と、前記吸込具の天面に設けられ、前記電動送風機の吸引風により空気中の浮遊塵埃を吸引する空気取り入れ口と、床面の帯電量を検知する帯電検知手段とを備え、前記空気取り入れ口は、略筒状で一定の長さを有し、前記吸込具の天面側の一端を軸に回動自在に設けられ、前記回動に伴って空気取り入れ口の開口の向きも可変自在に設けられて、前記帯電検知手段が検知する床面の帯電量に応じて、前記空気取り入れ口の開口の向きを変化させる構成としたもので、検知した床面の帯電量によって、塵埃が空気中に浮遊するおよその高さを推定し、その浮遊高さに、最適な空気取り入れ口の向きを設定することで、掃除中に舞い上げられた浮遊塵埃を効率よく吸引でき、部屋の上方、特に使用者の鼻口周辺の高さまで塵埃が漂うのを防ぐことができ、使用者がほこりが少ない空間で快適に掃除を行うことができる。
【０００９】
第２の発明は、第１の発明に加えて、電動送風機の吸引力を変化させる制御手段を備え、帯電検知手段が検知する床面の帯電量と、前記制御手段が設定する吸引力の大きさとに応じて、空気取り入れ口の開口の向きを変化させる構成としたもので、検知した床面の帯電量はもちろんのこと、さらには電動送風機の吸引力を変化させる制御手段が設定する吸引力の大きさに基づく排気の風速も考慮して、塵埃が空気中に浮遊するおよその高さを推定し、その浮遊高さに、最適な空気取り入れ口の向きを設定することで、掃除中に舞い上げられた浮遊塵埃を効率よく吸引でき、部屋の上方、特に使用者の鼻口周辺の高さまで塵埃が漂うのを防ぐことができ、使用者がほこりが少ない空間で快適に掃除を行うことができる。
【００１０】
第３の発明は、第１または第２の発明の空気取り入れ口の開口の向きは、帯電検知手段が検知する帯電量が小さいほど、あるいは制御手段が設定する吸引力の大きさが大きいほど、床面に対して鉛直方向により近い向きに変化させ、より高い位置の浮遊塵埃を吸引する構成としたもので、ほこりがより高く舞い上がり易い状況では空気取り入れ口の開口の向きをより鉛直方向に向けて浮遊塵埃が使用者の鼻口に達するのを防ぐことができる。
【００１１】
第４の発明は、第３の発明に加えて、床面の帯電量と制御手段が設定する吸引力とをパラメーターとして決定される、空気取り入れ口の開口の向きに関する設定角度のテーブル表を予め準備し、前記設定角度のテーブル表に基づいて、前記空気取り入れ口の開口の向きを変化させる構成としたもので、予め準備されたテーブル表に基づき、素早く空気取り入れ口の開口の向きを選択、決定でき、効率よく浮遊塵埃を吸引することができる。
【００１２】
（実施の形態１）
本発明の第１の実施の形態における電気掃除機について図１〜図３を用いて説明する。
【００１３】
図１は電気掃除機の全体図であり、図２（ａ）、図２（ｂ）、図２（ｃ）は図１の吸込具８の拡大図である。１は掃除機本体であり、２は掃除機本体１に内蔵された電動送風機であり、３は電動送風機２の吸引風によって吸引された塵埃を捕集する紙パックである。電動送風機２の吸引風はホース４と延長管７を通じて床面吸込み口１１を備えた吸込具８へ伝わり、この吸引風によって床面吸込み口１１から床面の塵埃を吸引する。電動機１０は床面吸込み口１１近傍に配されており、電力が供給されると回転して床面の塵埃をかき出して床面吸込み口１１からの塵埃の吸引を補助する。
【００１４】
また、吸込具８は水平から略鉛直方向まで動作する、空気取り入れ口も兼ね備えた電動ルーバー１２と帯電検知手段５ａを備えており、電動ルーバー１２は開口向き設定手段（図示せず）が設定した角度に応じて、図２（ａ）のように水平方向から図２（ｂ）、図２（ｃ）の様に鉛直方向へ動作し、より高い位置の浮遊塵埃を吸引するよう空気取り入れ口１２の開口向きを変化させる。帯電検知手段５ａは、吸込具８の下部に設置され、床面に近接することで床面の帯電量を精度良く検知する構成となっている。ホース４には使用者が持つための手元ハンドル６を備えている。
【００１５】
図３は手元ハンドル６の天面の拡大図であり、掃除機を運転する際に操作する強スイッチ６１、中スイッチ６２、弱スイッチ６３、掃除機を停止させる停止スイッチ６４が設けられている。
【００１６】
次に、上記のように構成された、本実施の形態における電気掃除機の動作、作用について、図１〜図３を参照しながら説明する。
【００１７】
使用者が掃除をする際には、強スイッチ６１、中スイッチ６２、弱スイッチ６３のいずれかを操作する。制御手段（図示せず）は、強スイッチ６１を操作したときは電動送風機２への入力を９００Ｗに、中スイッチ６２を操作したときは電動送風機２への入力を６００Ｗに、弱スイッチ６３を操作したときは電動送風機２への入力を２００Ｗに設定して吸引力を使用者が設定して運転する（以降、それぞれの動作モードを強モード、中モード、弱モードとする）。停止スイッチ６４を操作すると、電動送風機２への入力を遮断し、運転を停止する（以降、停止モードとする）。強、中、弱いずれかのモードで運転している場合は電動機１０および電動ルーバー９へ電力が供給され、電動機１０は床面の塵埃をかき出し、電動ルーバー９は空気中の浮遊塵埃を吸引するために、図２（ａ）、図２（ｂ）、図２（ｃ）のように空気取り入れ口１２の開口向きを変化させる。
【００１８】
電動ルーバー１２の角度は、以下の表１で示す帯電検知手段が検知する床面の帯電量と、運転の動作モード（吸引力の大きさ）とに応じた設定角度のテーブル表で決定される。
【００１９】
【表１】
2010046372.tif 000003
【００２０】
一般的に床面が帯電しているほど、そのクーロン力によって塵埃は床面に引き付けられ、空気中に舞い上がり難くかつ浮遊し難くなる。逆に、床面が帯電していない状態では、人の動きなどによって軽いほこりは容易に舞い上がり、空気中に浮遊し続ける。例えば花粉はその大きさは約３０μｍであり、空気中に長時間浮遊する事は無いが、それが破裂した時に飛散した時に放出され、花粉症の症状を引き起こす要因となるアレルゲン含有物質の大きさは約０．５μｍであり、空気中に浮遊し続ける。なお、一般的には１μｍ以下の塵埃は空気中に漂い続けると言われている。設定角度のテーブルは、その性質を考慮して床面の帯電量（絶対値）に対応する電動ルーバー１２の角度を設定しており、床面の帯電量が大きく、塵埃を引き付けている場合は電動ルーバー１２を水平方向にし、低い所で浮遊しているほこりを吸引し、床面の帯電量が小さい場合は空気取り入れ口１２の向きをより鉛直方向へ向けて、より高く舞い上がった塵埃を吸引して、部屋の上方、特に使用者の鼻口まで塵埃が舞い上がるのを防ぐようにする。また、この角度設定テーブルでは、排気風速による塵埃の舞い上がりも考慮しており、吸引力が高いほど掃除機本体１からの排気風量・風速は増加し、より塵埃が舞い上がりやすくなるため、吸引力が高いモードあるほどより角度を鉛直方向に向けることで、塵埃の舞い上がりに関わる排気の風速も考慮したより精度が良い電動ルーバー１２の開口向きの設定ができる。
【００２１】
以上のような制御を行うことで、掃除中に舞い上げられる花粉やハウスダストなどの浮遊塵埃を効率よく吸引でき、使用者がほこりが少ない空間で快適に掃除を行うことができる。
【００２２】
なお、本実施の形態では帯電検知手段の位置を吸込具８の床面側（５ａ）に設置していたが、頻繁に動くことが無い箇所、例えば掃除機本体１下部の５ｂの箇所に設置することで、使用者の動作にあまり影響されずに精度良く床面の帯電量を検知したり、ほこりが舞い上がる要因の一つである電動送風機２の排気風が排出される掃除機本体１の排気口１３近辺である５ｃの箇所に設置することで、塵埃の舞い上がりに関わる排気の風速も考慮してより精度良く掃除中に舞い上げられた浮遊塵埃を吸引することができるようになる。
【産業上の利用可能性】
【００２３】
以上のように、本発明にかかる電気掃除機は、床面の帯電量と動作モードの大きさとから、空気中の浮遊塵埃を効率よく吸引できるものであり、家庭用だけでなく、業務用等の電気掃除機にも広く、応用、展開できる。
【図面の簡単な説明】
【００２４】
【図１】本発明の実施の形態１における電気掃除機の概略図
【図２】（ａ）本発明の実施の形態１における電気掃除機の吸込具の電動ルーバーの略水平の状態を示す要部断面図（ｂ）同電気掃除機の吸込具の電動ルーバーが略斜め４５度に傾斜している状態を示す要部断面図（ｃ）同電気掃除機の吸込具の電動ルーバーが略鉛直方向に傾斜している状態を示す要部断面図
【図３】本発明の実施の形態１における電気掃除機の手元ハンドルの天面図
【符号の説明】
【００２５】
１    掃除機本体
２    電動送風機
３    紙パック
４    ホース
５ａ、５ｂ、５ｃ  帯電検知手段
６    手元ハンドル
７    延長管
８    吸込具
１０  電動機
１１  床面吸込み口
１２  電動ルーバー（空気取り入れ口）
１３  排気口
６１  強スイッチ
６２  中スイッチ
６３  弱スイッチ
６４  停止スイッチ
【図１】
2010046372.tif 000004
【図２】
2010046372.tif 000005
【図３】
2010046372.tif 000006